(57)【要約】【課題】空調構造に関し、特に、ヒートポンプ式の冷暖房装置によりハウス内の空調を行う場合に、室内機にダクトを直接接続することを不要としつつ、ダクトによってハウス内へ冷気または暖気を配風することができる空調構造を提供すること。【解決手段】ハウス１０とチャンバ室２０とを区画し、チャンバ室２０と親ダクト４とを接続部材４０を介して接続する。ハウス１０の内気を冷暖房装置３０が吸気し、冷却または加温した後、冷気または暖気としてチャンバ室２０へ吹き出す。これにより、チャンバ室２０の内気が接続部材４０を介して親ダクト４内へ流入され、子ダクト５からハウス１０内に配風される。よって、冷暖房装置３０の室内機に親ダクト４を直接接続することを不要としつつ、親ダクト４及び子ダクト５によりハウス１０内へ冷気または暖気を配風できる。【選択図】図２
2012047433.tif 000002
【特許請求の範囲】
【請求項１】
ヒートポンプ式の冷暖房装置を備え、その冷暖房装置により園芸用のハウスの内部空間を空調する空調構造において、
前記ハウスと区画される内部空間を有し、その内部空間に前記冷暖房装置の室内機が設置されるチャンバ室と、
そのチャンバ室および前記ハウスを区画する区画壁に開口され前記冷暖房装置の室内機の吸気口を前記ハウスの内部空間に連通させる導入穴と、
前記区画壁に開口され、前記ハウス内に設置されたダクトをチャンバ室の内部空間に連通させる導出穴と、を備え、
前記ハウスの内気が前記導入穴を介して前記室内機の吸気口から吸気され、前記室内機の吹出口から冷気または暖気が前記チャンバ室に吹き出されることで、前記チャンバ室の内気が、前記導出穴を介して前記ダクト内へ導出され、前記ダクトによって前記ハウス内に配風されることを特徴とする空調構造。
【請求項２】
前記室内機の吹出口および前記区画壁の導出穴は、水平方向に並設されると共に前記チャンバ室の側壁に対面配置され、そのチャンバ室の側壁は、水平断面が外方へ凸の円弧状に湾曲されることを特徴とする請求項１記載の空調構造。
【請求項３】
前記室内機は、一面側に前記吸気口が形成されると共に、前記一面側の反対側となる他面側に前記吹出口が形成され、前記一面側の外周縁が前記導入穴に嵌め込まれることを特徴とする請求項１又は２に記載の空調構造。
【請求項４】
前記導出穴と前記ダクトとの間に介在される筒状の本体筒と、その本体筒の外周面から分岐し前記導入穴まで延設されると共に本体筒よりも断面積の小さな筒状の分岐筒と、を有する接続部材を備えることを特徴とする請求項１から３のいずれかに記載の空調構造。
【請求項５】
前記導出穴に配設され、前記チャンバ室の内気を吸引して前記ダクトへ向けて送風する送風機を備えることを特徴とする請求項１から４のいずれかに記載の空調構造。
【発明の詳細な説明】
【技術分野】
【０００１】
本発明は、空調構造に関し、特に、ヒートポンプ式の冷暖房装置によりハウス内の空調を行う場合に、室内機にダクトを直接接続することを不要としつつ、ダクトによってハウス内へ冷気または暖気を配風することができる空調構造に関するものである。
【背景技術】
【０００２】
従来、園芸用のハウスでは、ハウス内の冷暖房に、重油や灯油を燃料とする冷暖房装置が使用されていた。しかし、近年では、燃料価格の上昇による生産コストの増加が問題となっていた。また、地球温暖化防止策としての二酸化炭素の排出量の削減も重要な課題となっていた。
【０００３】
そこで、低コストで且つ二酸化炭素を排出しない冷暖房装置として、ヒートポンプ式の冷暖房装置を園芸用のハウスに適用する技術が開発されている（特許文献１）。この技術によれば、温室（ハウス）の外部に配置された室外機の蒸発器から、温室内に配置された室内機の凝縮器へ熱媒体が流動されることで、室内機の吹出口から冷気または暖気を吹き出して、温室内の冷暖房を行うことができる。
【先行技術文献】
【特許文献】
【０００４】
【特許文献１】特開２０１０−１７８７２１号公報（図１〜図３、段落［００１４］など）
【発明の概要】
【発明が解決しようとする課題】
【０００５】
しかしながら、上述した従来の冷暖房装置では、吹出口からハウス内へ冷気または暖気を単に吹き出すだけであるので、吹出口近傍の作物に冷気または暖気が直接吹き付けられ、作物が黄化して枯れるという問題点があった。また、ハウス内の温度にムラが生じるという問題点があった。
【０００６】
一方で、これらの問題点は、冷暖房装置に親ダクトを接続し、その親ダクトから複数の子ダクトを分岐させると共に、それら子ダクトをハウス内の畝に沿って配設し、子ダクトの長手方向に沿って多数開口された孔から冷気または暖気をそれぞれ吐出させることによって解消できる。即ち、冷気または暖気が作物に直接吹き付けられ難くして、作物への影響を抑えられる。また、ハウス内へ冷気または暖気を均等に配風して、ハウス内の温度を均一にし易くできる。しかしながら、ヒートポンプ式の冷暖房装置の場合、室内機にダクトを接続することが困難であるという問題点があった。
【０００７】
本発明は、上述した問題点を解決するためになされたものであり、ヒートポンプ式の冷暖房装置によりハウス内の空調を行う場合に、室内機にダクトを直接接続することを不要としつつ、ダクトによってハウス内へ冷気または暖気を配風することができる空調構造を提供することを目的としている。
【課題を解決するための手段および発明の効果】
【０００８】
請求項１記載の空調構造によれば、ハウスと区画される内部空間を有するチャンバ室を備え、そのチャンバ室の内部空間に冷暖房装置の室内機が設置されるので、冷暖房装置の室内機から吹き出される冷気または暖気をチャンバ室に貯留することができる。この場合、チャンバ室およびハウスを区画する区画壁には、冷暖房装置の室内機の吸気口をハウスの内部空間に連通させる導入穴と、チャンバ室の内部空間をダクトに連通させる導出穴とが形成される。
【０００９】
これにより、ハウスの内気を冷暖房装置の室内機が導入穴を介して吸気口から吸気すると共に、冷暖房装置の室内機が吹出口から冷気または暖気をチャンバ室へ吹き出すことで、チャンバ室の内気を、導出穴を介してダクト内へ導出しハウス内に配風することができる。即ち、ヒートポンプ式の冷暖房装置によりハウス内の空調を行う場合であっても、冷暖房装置の室内機にダクトを直接接続することを不要としつつ、ダクトによってハウス内へ冷気または暖気を配風できるという効果がある。その結果、冷気または暖気が作物に直接吹き付けられ難くして、作物への影響を抑えることができる。また、ハウス内へ冷気または暖気を均等に配風して、ハウス内の温度を均一にし易くできる。
【００１０】
また、請求項１によれば、ハウスとは別にチャンバ室を設け、そのチャンバ室内に冷暖房装置の室内機を配置するので、ハウス内に冷暖房装置の室内機を配設するためのスペースを確保する必要がない。よって、その分、ハウス内の作物を栽培するためのスペースを増加させることができるという効果がある。
【００１１】
更に、請求項１によれば、ハウスとは別にチャンバ室を設け、これらの間を区画する区画壁に導入穴および導出穴を設ければ良いので、既存のハウスに対しても容易に本空調構造を適用することができるという効果がある。
【００１２】
請求項２記載の空調構造によれば、請求項１記載の空調構造の奏する効果に加え、室内機の吹出口および区画壁の導出穴は、水平方向に並設されると共にチャンバ室の側壁に対面配置され、そのチャンバ室の側壁は、水平断面が外方へ凸の円弧状に湾曲されるので、冷暖房装置の室内機の吐出口から吹き出された冷気または暖気を、円弧状に湾曲したチャンバ室の側壁に沿って案内して、導出穴へ流入させ易くすることができるという効果がある。その結果、チャンバ室の内気を導出穴からダクト内へ効率的に導出することができるので、請求項２における空調構造のエネルギー消費効率（ＣＯＰ）を高めることができる。
【００１３】
また、請求項２によれば、チャンバ室の側壁は、水平断面が外方へ凸の円弧状に湾曲されるので、チャンバ室の容積を小さくして、熱損失を抑制しつつ、チャンバ室内に作業スペースを効率的に確保することができるという効果がある。その結果、かかる作業スペースを利用することで、室内機などのメンテナンス作業時の作業性の向上を図ることができる。
【００１４】
請求項３記載の空調構造によれば、請求項１又は２に記載の空調構造の奏する効果に加え、冷暖房装置の室内機は、一面側に吸気口が形成されると共に、一面側の反対側となる他面側に吹出口が形成され、一面側の外周縁が導入穴に嵌め込まれるので、ハウスの内気を室内機の吸気口に直接吸気させ、吸気効率を高めることができるという効果がある。その結果、請求項３における空調構造のエネルギー消費効率（ＣＯＰ）を高めることができる。
【００１５】
また、冷暖房装置の室内機の外周縁が導入穴に嵌め込まれる構造とすることで、吸気口からの吸気効率を高めると共に、ハウスとチャンバ室との間を簡素な構造で確実に区画することができるという効果がある。その結果、チャンバ室の密閉度を高めて、エネルギー消費効率（ＣＯＰ）を高めつつ、構造の簡素化により、製品コストの削減を図ることができる。
【００１６】
さらに、冷暖房装置の室内機の外周縁が導入穴に嵌め込まれる構造とすることで、チャンバ室の容積を小さくして、熱損失を抑制することができるので、その分、エネルギー消費効率（ＣＯＰ）を高めることができる。
【００１７】
請求項４記載の空調構造によれば、請求項１から３のいずれかに記載の空調構造の奏する効果に加え、導出穴とダクトとの間に介在される筒状の本体筒を接続部材が備えるので、導出穴とダクトとを確実に接続できると共に、それらの接続を簡素な構造で行うことができるという効果がある。よって、導出口からダクトまでの間での冷気または暖気の漏出を抑制して、請求項４における空調構造のエネルギー消費効率（ＣＯＰ）を高めつつ、構造の簡素化により、製品コストの削減を図ることができる。
【００１８】
さらに、請求項４によれば、本体筒の外周面から分岐し導入穴まで延設されると共に本体筒よりも断面積の小さな筒状の分岐筒を接続部材が備えるので、チャンバ室の内気（即ち、冷暖房装置の室内機からチャンバ室内に吹き出された冷気または暖気）を、導出穴から接続部材を介してダクト内へ導出させる際に、その冷気または暖気を、冷暖房装置の室内機における吸気口に導いて吸気させることができる。これにより、冷暖房装置の能力を補助して、エネルギー消費効率（ＣＯＰ）を高めることができる。
【００１９】
請求項５記載の空調構造によれば、請求項１から４のいずれかに記載の空調構造の奏する効果に加え、導出穴に配設され、チャンバ室の内気を吸引してダクトへ向けて送風する送風機を備えるので、チャンバ室の内気（即ち、冷暖房装置の室内機からチャンバ室内に吹き出された冷気または暖気）をチャンバ室から導出口を介してダクト内へ効率的に導出させることができる。即ち、チャンバ室内の冷気または暖気をダクトの末端まで押し出すための風圧を確保することができるという効果がある。その結果、請求項５における空調構造におけるエネルギー消費効率（ＣＯＰ）を高めることができる。
【図面の簡単な説明】
【００２０】
【図１】（ａ）は、本発明の一実施の形態における空調構造が適用されるハウスの側面図であり、（ｂ）は、図１のＩｂ−Ｉｂ線におけるハウスの断面図である。
【図２】チャンバ室の水平断面図である。
【図３】図２の矢印ＩＩＩ方向から視たチャンバ室の背面図である。
【図４】（ａ）は、接続部材の上面図であり、（ｂ）は、図４（ａ）のＩＶｂ−ＩＶｂ線における接続部材の断面図である。
【発明を実施するための形態】
【００２１】
以下、本発明の好ましい実施例について、添付図面を参照して説明する。図１（ａ）は、本発明の一実施の形態における空調構造が適用されるハウス１０の側面図であり、図１（ｂ）は、図１のＩｂ−Ｉｂ線におけるハウス１０の断面図である。なお、本実施の形態では、ハウス１０がメロンを栽培するメロン温室として構成される場合を例に説明する。また、図１では、土台や側柱、屋根柱などの図示が省略され、ハウス１０が模式的に図示される。
【００２２】
まず、本発明の空調構造が適用されるハウス１０の全体構成について説明する。図１（ａ）及び図１（ｂ）に示すように、ハウス１０は、地面に設けられたコンクリート製の土台と、その土台から立設される複数のアルミ製の側柱と、それら複数の側柱の上方に組み付けられる複数のアルミ製の屋根柱と、それら複数の屋根柱の間に張設され切妻型の屋根を形成するガラス製の屋根材１と、複数の側柱の間に張設され側壁を形成するガラス製の壁材２とを主に備え、所定の窓や通路が閉じられた状態では、内部空間の内気が外気と遮断されるように構成される。
【００２３】
ハウス１０の内部には、複数（本実施の形態では、６本）のベッド３が所定間隔を隔てつつ並設される。ベッド３は、断面Ｕ字状のアルミ製の枠であり、メロンの床土は、このベッド３に盛られることで、地面と隔絶される。なお、ハウス１０の床は、段差が設けられており、北側（図１（ｂ）右側）のベッド３ほど高い位置に配設される。
【００２４】
また、ハウス１０の内部には、親ダクト４と、その親ダクト４から分岐する複数（本実施の形態では４本）の子ダクト５とが配設される。親ダクト４は、後述するチャンバ室２０から導出された冷気または暖気を流通させると共に子ダクト５へ分配するためのダクトであり、一端側（図１（ｂ）右側）がチャンバ室２０に接続される。なお、親ダクト４は、ベッド３の段差に伴って、他端側（図１（ｂ）左側）へ下降傾斜した状態で配設されている。
【００２５】
子ダクト５は、親ダクト４から分配された冷気または暖気をハウス１０内に配風するためのビニール製のダクトであり、ベッド３に沿って配設される。子ダクト５には、その長手方向に沿って孔が多数開口され、それら各孔から冷気または暖気が吐出される。これにより、冷気または暖気が作物に直接吹き付けられ難くして、作物への影響を抑えることができる。また、ハウス１０内へ冷気または暖気を均等に配風して、ハウス１０内の温度を均一にし易くできる。
【００２６】
次いで、このように構成されたハウス１０を空調する空調構造について説明する。本発明の空調構造は、チャンバ室２０と、ヒートポンプ式の冷暖房装置３０とを主に備える。チャンバ室２０は、ハウス１０と区画される内部空間を有し、ハウス１０の北側（図１（ａ）及び図１（ｂ）右側）の側面に形成されると共に、後述する導入穴２５及び導出穴２６を介して（図２及び図３参照）、ハウス１０の内部空間と連通される。ここで、チャンバ室２０の詳細構成について、図２及び図３を参照して説明する。
【００２７】
図２は、チャンバ室２０の水平断面図であり、図１（ｂ）の部分拡大図に対応する。また、図３は、図２の矢印ＩＩＩ方向から視たチャンバ室２０の背面図である。なお、図２では、側柱や屋根柱などの図示や各構成３０，４０，５０等の断面視が省略されると共に、チャンバ室２０が模式的に図示される。また、図３では、冷暖房装置３０の室内機３１及び送風機５０が二点鎖線を用いて模式的に図示されている。
【００２８】
図２及び図３に示すように、チャンバ室２０は、架台２９から立設される複数のアルミ製の側柱と、それら複数のアルミ製の側柱の上方に組み付けられる複数のアルミ製の屋根柱と、それら複数の屋根柱の間に張設され屋根を形成する屋根材２１（図１（ａ）参照）と、複数の側柱の間に張設され側壁を形成する壁材２２と、床面を形成する床材２３とを主に備え、図２に示す冷暖房装置３０や接続部材４０が設置された状態では、内部空間の内気が外気と遮断されるように構成される。
【００２９】
なお、上述したように、ハウス１０は、床に段差が設けられ、北側（図１（ｂ）右側）のベッド３ほど高い位置に配設されるので、これに対応させるために、チャンバ室２０は、最上段のベッド３に対応する高さまで、鉄鋼製の架台２９により持ち上げられる（図１（ａ）参照）。
【００３０】
また、屋根材２１、壁材２２および床材２３は、ガルバリウム鋼材により構成されており、その内壁には、ウレタン樹脂製の断熱材が裏打ちされている。これにより、チャンバ室２０の断熱性能が確保され、内部空間から外部への熱の逃げである総熱損失量の低減が図られている。
【００３１】
ここで、説明の便宜上、以下においては、チャンバ室２０の側壁２２の内、ハウス１０側に位置しハウス１０の内部空間とチャンバ室２０の内部空間とを区画する側壁２２を区画壁２２ａと称すると共に、ハウス１０とは反対側に位置し区画壁２２ａに対向する側壁２２を対向壁２２ｂと称す。
【００３２】
チャンバ室２０の内部空間には、冷暖房装置３０の室内機３１が配置される。なお、冷暖房装置３０の室外機（図示せず）は、ハウス１０及びチャンバ室２０の室外に配置され、冷媒配管および制御用電線（いずれも図示せず）を通じて室内機３１に接続される。
【００３３】
チャンバ室２０は、区画壁２２ａにより、ハウス１０と区画されており、その区画壁２２ａには、導入穴２５と、導出穴２６とが開口される。導入穴２５は、室内機３１の吸気口３１ｂをハウス１０の内部空間に連通させる開口であり、図３に示すように、室内機３１の外形に対応した矩形状に形成される。また、導出穴２６には、接続部材４０が接続される。導出穴２６は、接続部材４０を介して、ハウス１０内に設置された親ダクト４とチャンバ室２０の内部空間とを連通させる開口であり、接続部材４０に対応した円形に形成される。
【００３４】
このように構成された空調構造によれば、冷暖房装置３０が駆動されると、ハウス１０の内気が、室内機３１の吸気口３１ｂから吸気され、室内機３１内で冷却または加温された後、室内機３１の吹出口３１ａから冷気または暖気としてチャンバ室２０へ吹き出される。チャンバ室２０へ冷気または暖気が吹き出されると、その吹き出された冷気または暖気は、導出穴２６に接続された接続部材４０を介して、親ダクト４内へ導出されると共に、各子ダクト５へ分配され、ハウス１０内に配風される。
【００３５】
よって、ヒートポンプ式の冷暖房装置３０によりハウス１０内の空調を行う場合に、冷暖房装置３０の室内機３１に親ダクト４を直接接続しなくても、親ダクト４及び子ダクト５によってハウス１０内へ冷気または暖気を配風できる。また、チャンバ室２０内に冷暖房装置３０の室内機３１を配置できるので、ハウス１０内に冷暖房装置３０の室内機３１を配設するためのスペースを確保する必要がない。よって、その分、ハウス１０内の作物を栽培するためのスペースを増加させることができる。更に、ハウス１０とは別にチャンバ室２０を設け、これらの間を区画する区画壁２２ａに導入穴２５及び導出穴２６を設ければ良いので、既存のハウスに対しても容易にこの空調構造を適用することができる。
【００３６】
区画壁２２ａに開口される導入穴２５及び導出穴２６は、図３に示すように、水平方向（図３左右方向）に並設されると共に、冷暖房装置３０の室内機３１がチャンバ室２０の内部空間に設置されると、その室内機３１の吸気口３１ｂは、図３の背面視において、導入穴２５に重なる（導入穴２５の外形内に収まる）。
【００３７】
また、冷暖房装置３０の室内機３１の吹出口３１ａは、吸気口３１ｂの配設位置と反対側となる面（図２右側面）に配設されており、よって、区画壁２２ａの導出穴２６は、室内機３１の吹出口３１ａに対しても、水平方向（図３左右方向）に並設される。ここで、これら室内機３１の吹出口３１ａ及び導出穴２６に対面配置される対向壁２２ｂは、図２に示す水平断面（重力方向に直交する仮想平面で切断した断面）が外方（即ち、区画壁２２ａから離間する方向、図２右方向）へ凸の円弧状に湾曲される。
【００３８】
これにより、冷暖房装置３０の室内機３１が吐出口３１ａから冷気または暖気を吹き出すと、その吹き出した冷気または暖気を、円弧状に湾曲した対向壁２２ｂに沿って流動させ、導出穴２６へ流入させ易くすることができる。その結果、チャンバ室２０の内気を導出穴２６から親ダクト４内へ効率的に導出することができるので、本空調構造におけるエネルギー消費効率（ＣＯＰ）を高めることができる。
【００３９】
また、このように、室内機３１の吐出口３１ａと導出穴２６とを水平方向に並設し、チャンバ室２０の対向壁２２ｂを水平断面が外方へ凸の円弧状に湾曲させることで、チャンバ室２０の容積を小さくして、熱損失を抑制しつつ、チャンバ室２０内に作業スペースを効率的に確保することができる。その結果、かかる作業スペース（即ち、室内機３１と対向壁２２ｂとの間の空間、及び、送風機５０と対向壁２２ｂとの間の空間）を利用することで、室内機３１や送風機５０などのメンテナンス作業時の作業性の向上を図ることができる。
【００４０】
対向壁２２ｂは、図２に示す水平断面における形状が円の一部を切り取った形状、即ち、一定の曲率半径（本実施の形態では、半径ｒ＝３０００ｍｍ）を有する形状に形成される。また、この曲率半径は、床材２３から屋根材２１（図１（ａ）参照）までの範囲で一定である。よって、複数の曲率半径を複合する場合と比較して、対向壁２２ｂの形状を簡素として、その製造を容易とすることができるので、その分、チャンバ室２０の製品コストを低減することができる。
【００４１】
一方で、本実施の形態では、このように対向壁２２ｂの形状を簡素化した場合であっても、次の構成により、冷気または暖気を導出穴２６へ効率的に流入させることができる。即ち、対向壁２２ｂは、区画壁２２ａとの間の対向間隔（図２左右方向間隔）が、室内機３１側における対向間隔よりも、導出穴２６（送風機５０）側における対向間隔の方が大きくされている。これにより、室内機３１から導出穴２６（送風機５０）へ向かう流れ（即ち、室内機３１の吹出口３１ａから吹き出された冷気または暖気が対向壁２２ｂに沿って図２の下方へ向かう流れを形成し易くできる。その結果、冷気または暖気を導出穴２６へ効率的に流入させることができる。
【００４２】
また、対向壁２２ｂは、区画壁２２ａとの間の対向間隔（図２左右方向間隔）が、図２に範囲Ａで示すように、室内機３１側（図２上側）から導出穴２６（送風機５０）側（図２下側）へ向かうに従って、漸次増加する一方で、導出穴２６（送風機５０）の端部（図２上側の端部）に達すると、図２に範囲Ｂで示すように、室内機３１から離れる方向（図２下側）へ向かうに従って、漸次減少するように形成されている。これにより、室内機３１の吹出口３１ａから吹き出され対向壁２２ｂに沿って図２の下方へ向けて流れてきた冷気または暖気を、次いで、導出穴２６（送風機５０）へ向けて方向転換させ易くすることができる。その結果、冷気または暖気を導出穴２６へ効率的に流入させることができる。
【００４３】
ここで、冷暖房装置３０の室内機３１は、直方体に形成され、その一面側（図２左側）に吸気口３１ｂが形成されると共に、一面側の反対側となる他面側（図２右側）に吹出口３１ａが形成され、吸気口３１ｂが形成される一面側の外周縁が、区画壁２２ａに開口された導入穴２５に嵌め込まれる。
【００４４】
これにより、室内機３１の吸気口３１ｂをハウス１０内に対面させることができるので、ハウス１０の内気を、ダクトなどを利用することなく、室内機３１の吸気口３１ｂに直接吸気させることができ、その分、吸気効率を高めることができる。その結果、本空調構造におけるエネルギー消費効率（ＣＯＰ）を高めることができる。
【００４５】
また、このように、冷暖房装置３０の室内機３１の外周縁が導入穴２５に嵌め込まれる構造とすることで、吸気口３１ｂからの吸気効率を高めると共に、ハウス１０とチャンバ室２０との間を簡素な構造（即ち、板状の区画壁２２ａのみ）で確実に区画することができる。その結果、チャンバ室２０の密閉度を高めて、エネルギー消費効率（ＣＯＰ）を高めつつ、構造の簡素化により、製品コストの低減を図ることができる。さらに、冷暖房装置３０の室内機３１の外周縁が導入穴２５に嵌め込まれることで、チャンバ室２０の容積を小さくして、熱損失を抑制することができるので、その分、エネルギー消費効率（ＣＯＰ）を高めることができる。
【００４６】
上述したように、導出穴２６には、接続部材４０が接続され、この接続部材４０を介して、チャンバ室２０の内気が親ダクト４へ導出される。ここで、図４を参照して、接続部材４０の詳細構成について説明する。
【００４７】
図４（ａ）は、接続部材４０の上面図であり、図４（ｂ）は、図４（ａ）のＩＶｂ−ＩＶｂ線における接続部材４０の断面図である。なお、図４では、分岐筒４３の一部が省略して図示されている。接続部材４０は、断面円形の筒状に形成される本体筒４１と、その本体筒４１の一端側から径方向外方へ張り出す正面視矩形状のフランジ部４２と、本体筒４１の外周面から分岐され断面矩形の筒状に形成される分岐筒４３とを備え、鉄鋼材料から構成される。
【００４８】
本体筒４１は、チャンバ室２０から親ダクト４までの冷気または暖気の流通経路を形成するための部位であり、導出穴２６の内径と同等の内径を有すると共に、親ダクト４（図２参照）が接続可能な外径を有する筒状に形成される。なお、本体筒４１の外周面には、周方向に延設される突条状の抜け止めリング（図示せず）が突出されており、接続された親ダクト４（図２参照）の抜けが防止される。
【００４９】
フランジ部４２は、区画壁２２ａに図示しない当て板を介してねじにより締結固定される板状の部位であり（図２参照）、各角部にねじを挿通するための貫通孔が穿設される。分岐筒４３は、本体筒４１内を流通する冷気または暖気の一部を分岐させ、ハウス１０内へ流出させる流通経路を形成するための部位であり、基端側（図４（ｂ）下側）が本体筒４１に連通されると共に、図示しない先端側（図４（ｂ）上側）に開口が形成され、分岐された冷気または暖気を先端側の開口から吹き出す。
【００５０】
図２及び図３に戻って説明する。接続部材４０は、上述したように、フランジ部４２が区画壁２２ａに締結固定されることで、本体筒４１が導出穴２６に連通する位置に配設され、これにより、チャンバ室２０の内部空間と親ダクト４とが導出穴２６及び接続部材４０の本体筒４１を介して連通される。
【００５１】
このように、本実施の形態では、導出穴２６と親ダクト４との間に介在される接続部材４０を備えるので、導出穴２６と親ダクト４とを確実に接続できると共に、それらの接続を簡素な構造で行うことができる。よって、導出口２６から親ダクト４までの間での冷気または暖気の漏出を抑制して、本空調構造のエネルギー消費効率（ＣＯＰ）を高めつつ、構造の簡素化により、製品コストの削減を図ることができる。
【００５２】
ここで、接続部材４０は、分岐筒４３が水平方向に延設される向き（即ち、図２に示すように、室内機３１側へ向けて延設される向き）で区画壁２２ｂに締結固定される。この場合、分岐筒４３の長さ寸法は、先端側の開口が導入穴２５に達する位置（より具体的には、室内機３１の吸気口３１ｂに達する位置）まで延設される長さ寸法に設定されている。
【００５３】
これにより、チャンバ室２０の内気（即ち、冷暖房装置３０の室内機３１からチャンバ室２０内に吹き出された冷気または暖気）を、導出穴２６から接続部材４０（本体筒４１）を介して親ダクト４内へ導出させる際には、その冷気または暖気を、冷暖房装置３０の室内機３１における吸気口３１ｂへ分岐筒４３により導いて吸気させることができる。その結果、冷暖房装置３０の能力を補助して、エネルギー消費効率（ＣＯＰ）を高めることができる。
【００５４】
なお、接続部材４０は、分岐筒４３の有効断面積が、本体筒４１の有効断面積の５％から１５％の範囲内にあることが好ましい。５％よりも小さいと、本体筒４１から分岐される冷気または暖気の量が不足して、室内機３１の吸気口３１ｂへ十分な量の冷気または暖気を吸気させることができず、室内機３１の能力補助効果が得られない一方、１５％よりも大きいと、本体筒４１から分岐される冷気または暖気の量が過大となり、子ダクト５からハウス１０内へ十分な量の冷気または暖気を配風することができず、ハウス１０内の空調機能を確保できないからである。
【００５５】
また、分岐筒４３は、図３に示す背面視において、その先端側が、室内機３１の吸気口３１ｂの導出穴２６側（図３右側）の端部と、吸気口３１ｂの幅方向（図３左右方向）中央との間の範囲内に位置することが好ましい。この範囲内であれば、分岐筒４３の先端側の開口から吹き出される際の流動を利用して、分岐筒４３から吹き出される冷気または暖気を吸気口３１ｂへ効率的に吸気させることができるからである。
【００５６】
導出穴２６には、送風機５０が配設される。送風機５０は、チャンバ室２０の内気を吸引して、導出穴２６及び接続部材４０を介して、親ダクト４へ向けて送風するための有圧換気扇であり、導出穴２６を接続部材４０と挟む位置において、区画壁２２ａに締結固定される。
【００５７】
これにより、チャンバ室２０の内気（即ち、冷暖房装置３０の室内機３１からチャンバ室２０内に吹き出された冷気または暖気）をチャンバ室２０から導出口２６及び接続部材４０を介して親ダクト４内へ効率的に導出させ、各子ダクト５の末端まで押し出すための風圧を確保することができる。その結果、本空調構造におけるエネルギー消費効率（ＣＯＰ）を高めることができる。
【００５８】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００５９】
上記実施の形態で挙げた数値は一例であり、他の数値を採用することは当然可能である。また、上記実施の形態で挙げた材質は一例であり、他の材質を採用することは当然可能である。
【００６０】
上記実施の形態では、冷暖房装置３０の室内機３１が区画壁２２ａの導入穴２５に嵌め込まれる場合を説明したが、必ずしもこれに限られるものではなく、区画壁２２ａの導入穴２５にダクトを嵌め込み、そのダクトの一端側をハウス１０内に開口させると共に他端側を室内機３１の吸気口３１ｂに接続するようにしても良い。この場合、吸気口３１ｂは、室内機３１の背面側（図２左側）に設けられていても良いし、室内機３１の前面側（吹出口３１ａと同じ側）に設けられていても良く、側面に設けられていても良い。
【００６１】
上記実施の形態では、ハウス１０がメロンを栽培するメロン温室として構成される場合を説明したが、他の植物を対象とするものであっても良い。また、本発明の空調構造の適用対象は園芸用のハウス１０に限られず、他の用途（例えば、畜舎や倉庫など）に使用されるものであっても良い。本発明の空調構造を適用することで、各ダクト４，５を使用することで、例えば、埃の飛散を抑制しつつ、空調できる。
【符号の説明】
【００６２】
４                親ダクト（ダクト）
５                子ダクト（ダクト）
１０              ハウス
２０              チャンバ室
２２ａ            区画壁
２２ｂ            対向壁（吹出口および導出穴が対面配置される側壁）
２５              導入穴
２６              導出穴
３０              冷暖房装置
３１              室内機
３１ｂ            吸気口
４０              接続部材
４１              本体筒
４３              分岐筒
５０              送風機
【図１】
2012047433.tif 000003
【図２】
2012047433.tif 000004
【図３】
2012047433.tif 000005
【図４】
2012047433.tif 000006